(57)【要約】      （修正有）【課題】室内で非常事態が発生した場合に、室外から解錠することができる非常解錠装置に関し、コイン等では室外から開けられないようにする。【解決手段】室外側の開閉操作具の上方には、非常解錠具本体５を設けてある。非常解錠具本体５は、正六角形に突出する係止部７を設け、その上部に赤色等で施錠状態を表示し、青色等で解錠状態を表示する表示窓１０を設けてある。非常解錠具本体５とは別体の解錠操作具６は、回動操作するための摘み部８の先端側に正六角形凹部の係合部９を設けて成り、この係合部９が非常解錠具本体５の係止部７に係合する。非常解錠具本体５と解錠操作具６で非常解錠具１は構成され、ラッチ錠の施錠状態において、解錠操作具６の摘み部８を持って、係合部９を非常解錠具本体５の係止部７に係合させ回動すると、ラッチ錠を解錠することができる。【選択図】図４
2010024709.tif 000002
【特許請求の範囲】
【請求項１】
扉の一面側に設けられ、常時施解錠することができる施解錠具を備えると共に、他面側に設けられ、非常時に解錠することができる非常解錠具を備える非常解錠装置において、施解錠具は、回動することによって施解錠することができる施解錠操作取っ手を扉に取り付けて成り、非常解錠具は、扉に取り付けられる非常解錠具本体と、それとは別体で扉に取り付けられていない解錠操作具を有し、非常解錠具本体には係止部を設けると共に、解錠操作具には係合部を設けて成り、非常解錠具本体の係止部に解錠操作具の係合部を係合させて回動することによって非常解錠することができるように成し、なおかつ、非常解錠具本体の係止部は、コイン等の板状体を係合させて回動することができない形状としたことを特徴とする非常解錠装置。
【発明の詳細な説明】
【技術分野】
【０００１】
本発明は、主に、店舗等の不特定多数の人が使うトイレ等に使用するのに適し、室内から施解錠することができ、トイレ室外から通常は解錠できず、トイレ室内の人が倒れる等の非常事態が発生した場合にのみ解錠することができるようにした非常解錠装置に関するものである。
【背景技術】
【０００２】
従来より、実開昭６２−１０８４６８号考案のように、室内から施解錠することができ、非常時に室外側からコインで解錠できるようにした非常解錠装置は提案されている。
【特許文献１】実開昭６２−１０８４６８号
【発明の開示】
【発明が解決しようとする課題】
【０００３】
店舗等の不特定多数の人が使うトイレの場合、上記従来例においては、使用中にトイレ室外から他人がコイン等で簡単に扉を開けることができ都合が悪いという問題がある。しかし、非常時に室外側から解錠できないと、トイレ室内で人が意識を失って倒れる等の非常事態が発生した場合に、救出するために錠や扉等を壊さなければならず、錠や扉を直すのに多大な費用がかかるし、すぐに対処できない等の問題がある。そこで、本発明は、特に上記のような場所に使用するのに適する非常解錠装置を提供することを課題とするものである。
【課題を解決するための手段】
【０００４】
上記課題を解決するために、扉の一面側に設けられ、常時施解錠することができる施解錠具を備えると共に、他面側に設けられ、非常時に解錠することができる非常解錠具を備える非常解錠装置において、施解錠具は、回動することによって施解錠することができる施解錠操作取っ手を扉に取り付けて成り、非常解錠具は、扉に取り付けられる非常解錠具本体と、それとは別体で扉に取り付けられていない解錠操作具を有し、非常解錠具本体には係止部を設けると共に、解錠操作具には係合部を設けて成り、非常解錠具本体の係止部に解錠操作具の係合部を係合させて回動することによって非常解錠することができるように成し、なおかつ、非常解錠具本体の係止部は、コイン等の板状体を係合させて回動することができない形状として成るものである。
【発明の効果】
【０００５】
以上のように本発明によれば、店舗等の不特定多数の人が使うトイレに使用しても、トイレ使用中に室外から他人にコイン等の身近にある板状体で簡単に開けられてしまうことはなく、なおかつ、室内の人が倒れる等の非常事態が発生した場合には、解錠操作具を持ってきてその係合部を非常解錠具本体の係止部に係合させて回動することによって室外から解錠して、錠や扉を壊すことなく速やかに室内の人を救出することができるという効果がある。
【０００６】
また、一般家庭でも、トイレや個室に使用した場合、解錠操作具を親が保管しておけば、子供がいたずらして室外から解錠することを防止することができるという効果もある。
【実施例１】
【０００７】
扉Ｄの室内外の両面には、一対の開閉操作具３ａ（室外側）と開閉操作具３ｂ（室内側）を配して取り付け、その間にラッチ錠４を扉Ｄに埋め込んで設けてあり、いずれか一方の開閉操作具３ａ又は３ｂを回動操作すると、扉Ｄの端面から突出しているラッチボルト１２を後退させ扉Ｄを開けることができる。
【０００８】
室内側の開閉操作具３ｂの上方には、施解錠具２を設けて、これに施解錠操作取っ手１１を回動可能に設けてあり、一方側に回動するとラッチ錠４を施錠し、他方側に回動するとラッチ錠４を解錠することができるようになっている。ラッチ錠４の施錠状態においては、開閉操作具３ａ及び開閉操作具３ｂは回動できないと共に、ラッチボルト１２も後退できず、扉Ｄを開けることができない。
【０００９】
室外側の開閉操作具３ａの上方には、非常解錠具本体５を設けてある。非常解錠具本体５は、中央よりやや下部に正六角形に突出する係止部７を設け、係止部７には、解錠時に上部に位置する凹状の目印１３を設けてある。さらにその上部に、赤色等で施錠状態を表示し、青色等で解錠状態を表示する表示窓１０を設けてある。上記の目印１３は、施錠時には９０度変位するので、トイレではない個室に使用して表示窓１０がない場合でも、施錠状態と解錠状態を判別することができる。
【００１０】
また、非常解錠具本体５とは別体の解錠操作具６は、回動操作するための摘み部８の先端側に正六角形凹状の係合部９を設けて成り、この係合部９が非常解錠具本体５の係止部７に係合するようになっている。
【００１１】
非常解錠具本体５と解錠操作具６で非常解錠具１は構成され、ラッチ錠４の施錠状態において、解錠操作具６の摘み部８を持って、係合部９を非常解錠具本体５の係止部７に係合させ回動すると、ラッチ錠４を解錠することができるようになっている。また、非常解錠具本体５の係止部７の形状は、身近にあるコイン等の板状体では解錠することができない形状なので、店舗等の不特定多数の人が使うトイレに取り付けて使用しても、簡単に、トイレの使用中に室外から他人に開けられる不都合を回避することができ、万が一トイレ内で人が倒れる等の非常事態が発生した場合には、解錠操作具６によって室外から解錠することができるものである。
【００１２】
なお、非常解錠具本体５の係止部７と解錠操作具６の係合部９の形状は、本実施例に限定されることなく、図５に示すように、正五角形凸状の係合部１４と、それに係合する正五角形凹状の係止部１５でもよいし、図６に示すように、多数の円形凹状部を設けた係合部１６と、それに係合する多数の円形凸状部を設けた係止部１７でもよいこともちろんであり、係止部７に係合部９を係合させて回動することによって非常解錠することができ、なおかつ、コイン等の板状体によって、係合させて回動することができないものであればよい。また、扉Ｄは開き戸に限らず引き戸にも適用できるものである。
【図面の簡単な説明】
【００１３】
【図１】室外側から見た正面図。
【図２】室内側から見た正面図。
【図３】図１のＡ−Ａ線断面図。
【図４】非常解錠具本体と解錠操作具の斜視図。
【図５】他の実施例の非常解錠具本体と解錠操作具の斜視図。
【図６】他の実施例の非常解錠具本体と解錠操作具の斜視図。
【符号の説明】
【００１４】
１    非常解錠具
２    施解錠具
５    非常解錠具本体
６    解錠操作具
７    係止部
９    係合部
１１    施解錠操作取っ手
１４    係止部
１５    係合部
１６    係止部
１７    係合部
Ｄ    扉
【図１】
2010024709.tif 000003
【図２】
2010024709.tif 000004
【図３】
2010024709.tif 000005
【図４】
2010024709.tif 000006
【図５】
2010024709.tif 000007
【図６】
2010024709.tif 000008